(57)【要約】【課題】フィルタのリザーバからの取り外しを容易としつつ不用意な外れを抑制することが可能なマスタシリンダを提供する。【解決手段】開口部２６から注入される作動液を貯留するリザーバ１３と、開口部２６に設けられるフィルタ５１と、リザーバ１３から作動液の供給を受けるマスタシリンダ本体と、を有し、フィルタ５１は、開口部２６の内径よりも大径のフィルタ大径部５２と、開口部２６の内径よりも小径のフィルタ小径部５４と、フィルタ大径部５２より小径であり、フィルタ小径部５４より大径に形成され、開口部２６からの移動を規制する係止部５５と、を有する。【選択図】図４
2019202677.tif 000002
【特許請求の範囲】
【請求項１】
開口部から注入される作動液を貯留するリザーバと、
前記開口部に設けられるフィルタと、
前記リザーバから作動液の供給を受けるマスタシリンダ本体と、
を有するマスタシリンダであって、
前記フィルタは、
前記開口部の内径よりも大径のフィルタ大径部と、
前記開口部の内径よりも小径のフィルタ小径部と、
前記フィルタ大径部より小径であり、前記フィルタ小径部より大径に形成され、前記開口部からの移動を規制する係止部と、を有することを特徴とするマスタシリンダ。
【請求項２】
前記リザーバは、前記開口部と、該開口部から注入される作動液を貯留する貯留部と、を有し、
前記貯留部は、前記開口部の中心線からの距離が、前記中心線の方向の位置が合う他の領域よりも小さい領域を有することを特徴とする請求項１記載のマスタシリンダ。
【発明の詳細な説明】
【技術分野】
【０００１】
本発明は、車両の制動用シリンダへ液圧を供給するマスタシリンダに関する。
【背景技術】
【０００２】
マスタシリンダには、作動液を貯留するリザーバと、リザーバに注入される作動液を濾過するフィルタとを有するものがある（例えば特許文献１，２参照）。
【先行技術文献】
【特許文献】
【０００３】
【特許文献１】特開平１１−７８８５５号公報
【特許文献２】実開平４−４３５５９号公報
【発明の概要】
【発明が解決しようとする課題】
【０００４】
フィルタのリザーバからの取り外しを容易とする一方、不用意な外れを抑制することが望まれている。
【０００５】
したがって、本発明は、フィルタのリザーバからの取り外しを容易としつつ不用意な外れを抑制することが可能なマスタシリンダの提供を目的とする。
【課題を解決するための手段】
【０００６】
上記目的を達成するために、本発明に係るマスタシリンダは、フィルタが、リザーバの開口部の内径よりも大径のフィルタ大径部と、前記開口部の内径よりも小径のフィルタ小径部と、前記フィルタ大径部より小径であり、前記フィルタ小径部より大径に形成され、前記開口部からの移動を規制する係止部と、を有する、構成とした。
【発明の効果】
【０００７】
本発明に係るマスタシリンダによれば、フィルタのリザーバからの取り外しを容易としつつ不用意な外れを抑制することが可能となる。
【図面の簡単な説明】
【０００８】
【図１】第１実施形態のマスタシリンダを示す正面図である。
【図２】第１実施形態のマスタシリンダの要部を示す正断面図である。
【図３】第１実施形態のマスタシリンダの要部を示す正断面図である。
【図４】第１実施形態のマスタシリンダの要部を示す正断面図である。
【図５】第２実施形態のマスタシリンダの要部を示すもので、（ａ）は正断面図、（ｂ）は（ａ）のＢ１矢視図である。
【図６】第２実施形態のマスタシリンダの要部を示すもので、（ａ）は正断面図、（ｂ）は（ａ）のＢ２矢視図である。
【発明を実施するための形態】
【０００９】
［第１実施形態］
本発明に係る第１実施形態を図１〜図４に基づいて説明する。図１に示すように、第１実施形態のマスタシリンダ１１は、マスタシリンダ本体１２と、リザーバ１３とを有している。マスタシリンダ本体１２は、図示略のブレーキペダルの操作量に応じた力が図示略のブレーキブースタの出力軸を介して導入されるもので、ブレーキペダルの操作量に応じた作動液圧を発生させて車両の制動用シリンダへ供給する。リザーバ１３は、作動液を貯留するものであり、貯留している作動液をマスタシリンダ本体１２に供給する。言い換えれば、マスタシリンダ本体１２は、リザーバ１３から作動液の供給を受ける。
【００１０】
マスタシリンダ１１は、そのマスタシリンダ本体１２において車両の車体に取り付けられることになる。以下、マスタシリンダ１１を車体に取り付けられた状態をもって説明する。以下の説明において、「前」は、車体前後方向の前を、「後」は、車体前後方向の後をそれぞれ示す。
【００１１】
リザーバ１３は、マスタシリンダ本体１２の鉛直方向上側に取り付けられる容器状のリザーバ本体２１と、リザーバ本体２１に対し着脱可能なキャップ２２とを有している。リザーバ本体２１は、作動液を貯留する貯留部２５と、貯留部２５の前端上部に設けられて外部と貯留部２５内とを連通する筒状の開口部２６とを有している。キャップ２２は、開口部２６に着脱可能に取り付けられている。
【００１２】
リザーバ本体２１は、その貯留部２５が、水平に広がる天井部３１を有する貯留本体部３２と、天井部３１の前端部から上方に突出する突出部３３とを有している。突出部３３は、その上部前側に前側ほど下側に位置するように傾斜して広がる根元部３５を有しており、開口部２６は、この根元部３５から根元部３５に垂直に、前側ほど上側に位置するように延出している。開口部２６は、前方かつ上方に開口している。キャップ２２は、開口部２６の先端部に取り付けられて開口部２６を閉塞し、開口部２６から取り外されて開口部２６を開口させる。リザーバ１３は、開口部２６から注入される作動液を貯留部２５に貯留する。
【００１３】
図２に示すように、開口部２６は、貯留部２５の突出部３３の根元部３５から外側に延出する一定内径の円筒状の根元側円筒状部４１と、根元側円筒状部４１の外端縁部から軸方向の外方に、外方ほど内径が大径となるように広がるテーパ筒状のテーパ筒状部４２と、テーパ筒状部４２の根元側円筒状部４１とは反対側の端縁部から根元側円筒状部４１とは反対方向に延出する円筒状の先端側円筒状部４３とを有している。根元側円筒状部４１、テーパ筒状部４２および先端側円筒状部４３は、それぞれの少なくとも内周面が同軸状に配置されている。根元側円筒状部４１の内径は、先端側円筒状部４３の内径よりも小径となっている。
【００１４】
貯留部２５は、根元部３５から内側に延出する一定内径の円筒状の内側円筒状部４５を有している。内側円筒状部４５は、根元側円筒状部４１と連続する円筒状であり、根元側円筒状部４１と同軸同径の一定内径となっている。
【００１５】
マスタシリンダ１１は、リザーバ本体２１の開口部２６に設けられるフィルタ５１を有している。フィルタ５１は、リザーバ１３とは別体であり、円筒状のフィルタ大径部５２と、フィルタ大径部５２の軸方向の一端縁部からフィルタ大径部５２から離れるほど外径が小径となるように窄まって延出するテーパ筒状のフィルタテーパ部５３と、フィルタテーパ部５３のフィルタ大径部５２とは反対側の端縁部からフィルタ大径部５２とは反対方向に延出する円筒状のフィルタ小径部５４と、フィルタ小径部５４のフィルタテーパ部５３とは反対側の端縁部から径方向外方および内方に広がる円板状の係止部５５とを有している。フィルタ大径部５２、フィルタテーパ部５３、フィルタ小径部５４および係止部５５は、それぞれの少なくとも外周面が同軸状に配置されている。フィルタ小径部５４は、これよりも大径のフィルタ大径部５２および係止部５５の間にある。
【００１６】
フィルタ大径部５２は、外径が、開口部２６の最小内径である根元側円筒状部４１およびこれと同径の内側円筒状部４５の内径よりも大径となっており、先端側円筒状部４３の内径よりも小径となっている。フィルタテーパ部５３は、少なくとも外周面が、テーパ筒状部４２の内周面と同等のテーパとなっている。
【００１７】
フィルタ小径部５４は、その外径が、フィルタ大径部５２の外径よりも小径であり、根元側円筒状部４１および内側円筒状部４５の内径よりも小径となっている。フィルタ小径部５４の軸方向長さは、根元側円筒状部４１および内側円筒状部４５を合わせた軸方向長さよりも若干長くなっている。フィルタ小径部５４には、径方向の内外を連通するメッシュ状の濾過部６１が周方向に部分的に形成されている。
【００１８】
係止部５５は、フィルタ５１の全周にわたって連続して形成されており、その外径が、フィルタ小径部５４の外径よりも大径で、フィルタ大径部５２の外径よりも小径となっている。係止部５５は、その外径が、根元側円筒状部４１および内側円筒状部４５の内径よりも若干小径となっている。すなわち、係止部５５は、フィルタ大径部５２より小径であり、フィルタ小径部５４より大径である。
【００１９】
フィルタ５１は、係止部５５を先頭にして、開口部２６の外から開口部２６内に挿入されることになり、フィルタテーパ部５３において開口部２６のテーパ筒状部４２に当接して、それ以上の挿入が規制される。フィルタ５１は、フィルタテーパ部５３が全周にわたって開口部２６のテーパ筒状部４２に当接した状態では、開口部２６内に、開口部２６と同軸状に配置されることになる。フィルタ５１は、例えば、キャップ２２が開口部２６に取り付けられると、キャップ２２に設けられた押圧部６５で押さえられてテーパ筒状部４２に全周にわたって当接した状態を維持する。
【００２０】
キャップ２２が開口部２６から取り外されると、フィルタ５１は、開口部２６から外に引き抜き可能となる。フィルタ５１は、係止部５５の全体が内側円筒状部４５の径方向内側の範囲内にある状態では、図３に示すように外に引き抜き可能となる一方、係止部５５の一部が内側円筒状部４５の径方向内側の範囲外にあると、図４に示すように、係止部５５が、リザーバ１３の内側円筒状部４５の軸方向の内端部６８に係止されて引き抜き、すなわち開口部２６からの移動を規制する状態となる。
【００２１】
リザーバ１３に作動液を真空充填等で注入する際には、キャップ２２をリザーバ本体２１から取り外して、作動液を注入するガンノズル７１を、リザーバ本体２１の開口部２６に挿入し、フィルタ５１のフィルタ小径部５４の途中位置まで差し込む。この状態で、ガンノズル７１から作動液を放出する。すると、ガンノズル７１から放出された作動液は、フィルタ５１の濾過部６１を通過して、貯留部２５内に至る。このとき、作動液に混入していた異物は、濾過部６１に引っかかって貯留部２５内に至ることが規制される。
【００２２】
作業者は、上記のようにガンノズル７１をフィルタ５１に挿入し作動液の充填を行った後、ガンノズル７１を引き抜くことになるが、その際に、例えばガンノズル７１を開口部２６の中心線に対し斜め方向に引き抜こうとすると、ガンノズル７１に引っかかってフィルタ５１がガンノズル７１とともに引き抜き方向に移動しようとすることがある。引き抜き時のガンノズル７１の姿勢はほぼ一定しないことから、フィルタ５１がガンノズル７１とともに、例えば図４に示すように径方向にずれる。すると、係止部５５が内側円筒状部４５の径方向内側の範囲から外にずれて、内側円筒状部４５の内端部６８に係止されて引き抜き、すなわち開口部２６からの移動を規制する状態となる。したがって、フィルタ５１が、作業者により引き抜かれるガンノズル７１とともに引き抜き方向に移動しようとしても、係止部５５が内側円筒状部４５に当接して移動が規制され、よってガンノズル７１から離れてリザーバ本体２１内に留まる。
【００２３】
その後、キャップ２２が開口部２６に取り付けられると、フィルタ５１は、キャップ２２に設けられた押圧部６５で押されて、フィルタテーパ部５３においてテーパ筒状部４２に当接し、開口部２６と同軸状に配置される状態になって停止する。
【００２４】
他方、濾過部６１の目詰まり解消等のため、フィルタ５１をリザーバ本体２１から取り外す場合、作業者は、キャップ２２を開口部２６から取り外し、フィルタ５１を、係止部５５が内側円筒状部４５の径方向内側の範囲内にある状態として引いて、係止部５５を内側円筒状部４５内に入り込ませる。その後は、係止部５５が内側円筒状部４５および根元側円筒状部４１で案内されることになる。よって、フィルタ５１をリザーバ本体２１から円滑に取り外すことができる。
【００２５】
上記した特許文献１には、給油口の内側に上部突起および下部突起を形成し、これらの間にフィルタを保持してフィルタの外れを規制するマスタシリンダ用リザーバが開示されている。また、上記した特許文献２には、フィルタの外周に突起を設け、開口部に突起に係合する穴を設け、これらを係合させる作動液リザーバが開示されている。これらの構造では、フィルタがリザーバに凹凸嵌合しているため、フィルタの不用意な外れを抑制することができるものの、凹凸嵌合を解除する必要があるため、フィルタのリザーバからの取り外しが面倒になってしまう。また、フィルタをリザーバに凹凸嵌合により固定する構造であると、フィルタあるいはリザーバに凹凸嵌合のための凹部あるいは凸部を形成する必要があり、フィルタおよびリザーバの成形時に樹脂の流れに対しアンダカットとなる凹部あるいは凸部を設ける必要があって、金型構造が複雑になる。よって、金型コストが増大してしまう。
【００２６】
これに対して、第１実施形態のマスタシリンダ１１は、フィルタ５１が、リザーバ１３の開口部２６の内径よりも大径のフィルタ大径部５２と、開口部２６の内径よりも小径のフィルタ小径部５４と、フィルタ大径部５２より小径であり、フィルタ小径部５４より大径に形成され、リザーバ１３に係止されて開口部２６からの移動を規制する係止部５５とを有する。このため、作業者が意思をもってフィルタ５１をリザーバ１３の開口部２６から取り外す場合、係止部５５を内側円筒状部４５の内側範囲内に配置して引き抜けば、取り外すことができる。また、フィルタ５１がリザーバ１３の開口部２６から不用意に取り外されそうになる場合には、大抵は係止部５５が内側円筒状部４５に対し径方向にずれることになり、よって、係止部５５がリザーバ１３に係止されて開口部２６からの移動を規制する状態になり、取り外しが規制される。したがって、フィルタ５１のリザーバ１３からの取り外しを容易としつつ不用意な外れを抑制することが可能となる。
【００２７】
また、フィルタ５１をリザーバ１３に凹凸嵌合により固定する構造ではないため、フィルタ５１およびリザーバ１３に凹凸嵌合のための凹部および凸部を形成する必要がなくなる。よって、フィルタ５１およびリザーバ１３の成形時に樹脂の流れに対しアンダカットとなる凹凸嵌合のための凹部および凸部を設ける必要がなくなり、簡素な金型構造にできる。よって、金型コストを低減することができる。
【００２８】
［第２実施形態］
次に、第２実施形態を主に図５，図６に基づいて第１実施形態との相違部分を中心に説明する。なお、第１実施形態と共通する部位については、同一称呼、同一の符号で表す。
【００２９】
第２実施形態では、図５（ａ）に示すように、リザーバ本体２１の開口部２６の先端側円筒状部４３に、フィルタ大径部５２を当接させることでフィルタ５１を先端側円筒状部４３に同軸に配置する外側位置決め部８１が設けられており、リザーバ本体２１の貯留部２５の内側円筒状部４５に、係止部５５を当接させることでフィルタ５１を内側円筒状部４５に同軸に配置する内側位置決め部８２が設けられている。これら外側位置決め部８１および内側位置決め部８２は、根元側円筒状部４１および内側円筒状部４５の周方向における位相を合わせている。
【００３０】
外側位置決め部８１は、図５（ｂ）に示すように、先端側円筒状部４３の内周面から径方向内側に突出する二カ所の隣り合う外側当接部８５，８６を有している。外側当接部８５，８６はいずれも突出側の先端面が平面状であり、これら先端面が鈍角をなして交差している。外側当接部８５，８６は、開口部２６の中心線からの距離が、この中心線の方向の位置が合う他の領域である先端側円筒状部４３よりも小さい領域となっている。言い換えれば、開口部２６は、開口部２６の中心線からの距離が、この中心線の方向の位置が合う他の領域である先端側円筒状部４３よりも小さい領域である外側位置決め部８１を有している。外側位置決め部８１の外側当接部８５，８６は、開口部２６の中心線からの距離が、フィルタ大径部５２の半径と同等になっている。外側当接部８５は、根元側円筒状部４１の周方向における上端位置に配置されており、外側当接部８６は、根元側円筒状部４１の周方向における上部の一側（開口部２６の開口側から見て右側）となる位置に配置されている。
【００３１】
内側位置決め部８２は、内側円筒状部４５の周方向の一部を根元側円筒状部４１とは反対方向に延長した円筒の一部形状をなしている。内側位置決め部８２は、開口部２６の中心線からの距離が、この中心線の方向の位置が合う他の領域である内側位置決め部８２がない領域よりも小さい領域となっている。言い換えれば、貯留部２５は、開口部２６の中心線からの距離が、この中心線の方向の位置が合う他の領域よりも小さい領域である内側位置決め部８２を有する。内側位置決め部８２は、内側円筒状部４５の周方向における上端位置から上部の一側（開口部２６の開口側から見て右側）の位置にかけて形成されている。
【００３２】
外側位置決め部８１の外側当接部８５，８６の両方にフィルタ大径部５２を当接させ、内側位置決め部８２に係止部５５を当接させた状態で、フィルタ５１は、根元側円筒状部４１および内側円筒状部４５に同軸となる。
【００３３】
第２実施形態においても、作業者は、ガンノズル７１をフィルタ５１に挿入し作動液の充填を行った後、ガンノズル７１を引き抜くことになるが、その際に、例えばガンノズル７１を開口部２６の中心線に対し斜め方向に引き抜こうとすると、ガンノズル７１に引っかかってフィルタ５１がガンノズル７１とともに引き抜き方向に移動しようとすることがある。引き抜き時のガンノズル７１の姿勢はほぼ一定しないことから、例えば図６に示すようにフィルタ５１がガンノズル７１とともに径方向にずれる。すると、係止部５５が内側円筒状部４５の径方向内側の範囲から外にずれて、フィルタ５１の係止部５５が内側円筒状部４５の内端部６８に係止されて引き抜き、すなわち開口部２６からの移動を規制する状態となる。したがって、フィルタ５１が、作業者により引き抜かれるガンノズル７１とともに引き抜き方向に移動しようとしても、係止部５５が内側円筒状部４５に当接して移動が規制され、よってガンノズル７１から離れてリザーバ本体２１内に留まる。
【００３４】
また、フィルタ５１をリザーバ本体２１から取り外す場合、作業者は、キャップ２２を開口部２６から取り外し、フィルタ５１を、開口部２６の開口側から見て右上方向に押し、図５（ｂ）に示すように、外側位置決め部８１の外側当接部８５，８６の両方にフィルタ大径部５２を当接させ、内側位置決め部８２に係止部５５を当接させた状態で引いて、係止部５５を内側円筒状部４５内に入り込ませる。すると、その間は、外側位置決め部８１および内側位置決め部８２の案内で、フィルタ５１が開口部２６に同軸状に配置された状態を維持しながら移動する。その後は、係止部５５が内側円筒状部４５および根元側円筒状部４１で案内されることになる。よって、フィルタ５１をリザーバ本体２１から円滑に取り外すことができる。
【００３５】
第２実施形態によれば、貯留部２５は、開口部２６の中心線からの距離が、この中心線の方向の位置が合う他の領域よりも小さい領域である内側位置決め部８２を有するため、これに係止部５５を当接させてフィルタ５１を軸方向に移動させれば、係止部５５を内側円筒状部４５内に容易に入り込ませることができる。したがって、フィルタ５１のリザーバ１３からの不用意な外れを抑制しつつ、取り外しをさらに容易にすることができる。
【００３６】
また、開口部２６は、開口部２６の中心線からの距離が、この中心線の方向の位置が合う他の領域である先端側円筒状部４３よりも小さい領域である外側位置決め部８１を有するため、内側位置決め部８２に係止部５５を当接させるとともに、外側位置決め部８１にフィルタ大径部５２を当接させてフィルタ５１を軸方向に移動させれば、フィルタ５１を開口部２６および内側円筒状部４５と同軸に配置した状態で移動させることができる。よって、係止部５５を内側円筒状部４５内に一層容易に入り込ませることができる。
【００３７】
なお、係止部５５の内側円筒状部４５内への入り込みを案内するためには、外側位置決め部８１および内側位置決め部８２のうち、係止部５５に近い側の内側位置決め部８２のみを設けても良い。
【００３８】
また、係止部５５は、フィルタ５１の全周にわたって連続して形成されていなくても良く、周方向に断続的に形成されていても良い。
【００３９】
以上の実施形態の第１の態様は、開口部から注入される作動液を貯留するリザーバと、前記開口部に設けられるフィルタと、前記リザーバから作動液の供給を受けるマスタシリンダ本体と、を有するマスタシリンダであって、前記フィルタは、前記開口部の内径よりも大径のフィルタ大径部と、前記開口部の内径よりも小径のフィルタ小径部と、前記フィルタ大径部より小径であり、前記フィルタ小径部より大径に形成され、前記開口部からの移動を規制する係止部と、を有する。これにより、フィルタのリザーバからの取り外しを容易としつつ不用意な外れを抑制することが可能となる。
【００４０】
第２の態様は、上記第１の態様において、前記リザーバは、前記開口部と、該開口部から注入される作動液を貯留する貯留部と、を有し、前記貯留部は、前記開口部の中心線からの距離が、前記中心線の方向の位置が合う他の領域よりも小さい領域を有する。これにより、フィルタのリザーバからの取り外しがさらに容易となる。
【符号の説明】
【００４１】
１１  マスタシリンダ
１２  マスタシリンダ本体
１３  リザーバ
２５  貯留部
２６  開口部
５１  フィルタ
５２  フィルタ大径部
５４  フィルタ小径部
５５  係止部
８２  内側位置決め部
【図１】
2019202677.tif 000003
【図２】
2019202677.tif 000004
【図３】
2019202677.tif 000005
【図４】
2019202677.tif 000006
【図５】
2019202677.tif 000007
【図６】
2019202677.tif 000008